(57)【要約】【課題】  睡眠日誌を自動的に作成することのできる睡眠日誌作成装置において、被験者が拘束感を感じずに快適に睡眠できるようにする。【解決手段】  生体の生理情報を検知する生体情報検知部(10)と、上記生理情報に基づいて睡眠情報を判定する睡眠情報判定部(21)と、判定した睡眠情報から睡眠日誌を作成する睡眠日誌生成部(22)と、作成した睡眠日誌を表示する表示部(23)とを備えた睡眠日誌作成装置(1)において、上記生体情報検知部(10)を、寝具内に敷かれるようにマット状に形成する。【選択図】  図１
2006014813.tif 000002
【特許請求の範囲】
【請求項１】
生体の生理情報を検知する生体情報検知部(10)と、上記生理情報に基づいて睡眠情報を判定する睡眠情報判定部(21)と、判定した睡眠情報から睡眠日誌を作成する睡眠日誌生成部(22)と、作成した睡眠日誌を表示する表示部(23)とを備え、
上記生体情報検知部(10)が、寝具内に敷かれるようにマット状に形成されていることを特徴とする睡眠日誌作成装置。
【請求項２】
請求項１に記載の睡眠日誌作成装置において、
生体情報検知部(10)が、生体の就寝中の呼吸、心拍、及び体動の少なくとも一つを検出するように構成されていることを特徴とする睡眠日誌作成装置。
【請求項３】
請求項２に記載の睡眠日誌作成装置において、
睡眠日誌生成部(22)が複数日分の睡眠履歴を記憶するように構成され、
表示部(23)が、上記複数日分の睡眠履歴を睡眠日誌として表示するように構成されていることを特徴とする睡眠日誌作成装置。
【請求項４】
請求項３に記載の睡眠日誌作成装置において、
表示部(23)が、複数日分の睡眠履歴と一日分の睡眠履歴とを切り換えて表示するように構成されていることを特徴とする睡眠日誌作成装置。
【発明の詳細な説明】
【技術分野】
【０００１】
本発明は、睡眠日誌を自動的に作成するための睡眠日誌作成装置に関するものである。
【背景技術】
【０００２】
従来より、睡眠習慣や生活リズムを把握する方法として睡眠日誌が用いられている。この睡眠日誌は、本人か、看護人や親などの観察者が長期にわたって記録するのが一般的である。しかし、本人が記録する場合でも観察者が記録する場合でも就寝時間などを正確に記録するのは困難であり、特に観察者が記録する場合は記録が長期間にわたるため負担が大きい問題があった。
【０００３】
これに対して、最近では、アクチグラフと呼ばれる手首装着型の体動計を用いて睡眠日誌を作成することが可能となっている（例えば、特許文献１参照）。この特許文献１の装置では、被験者がアクチグラフを手首に装着して就寝することにより、覚醒中の体動と入眠後の体動の変化に基づいて睡眠時間等を検出し、睡眠履歴を自動的に記録することができるようになっている。
【特許文献１】特表２００２−５２９１２１号公報
【発明の開示】
【発明が解決しようとする課題】
【０００４】
しかし、アクチグラフを用いる従来の装置では、該アクチグラフを手首に装着する必要があるため、被験者が拘束感を感じ、快適な睡眠が妨げられる問題があった。
【０００５】
本発明は、このような問題点に鑑みて創案されたものであり、その目的は、睡眠日誌を自動的に作成することのできる睡眠日誌作成装置において、被験者が拘束感を感じずに快適に睡眠できるようにすることである。
【課題を解決するための手段】
【０００６】
本発明は、寝具内に敷かれるようにマット状に形成された生体情報検知部(10)を用いて、身体を拘束せずに睡眠情報を検知できるようにしたものである。
【０００７】
具体的に、第１の発明は、生体の生理情報を検知する生体情報検知部(10)と、上記生理情報に基づいて睡眠情報を判定する睡眠情報判定部(21)と、判定した睡眠情報から睡眠日誌を作成する睡眠日誌生成部(22)と、作成した睡眠日誌を表示する表示部(23)とを備え、上記生体情報検知部(10)が寝具内に敷かれるようにマット状に形成されていることを特徴としている。
【０００８】
第２の発明は、第１の発明の睡眠日誌装置において、生体情報検知部(10)が、生体の就寝中の呼吸、心拍、及び体動の少なくとも一つを検出するように構成されていることを特徴としている。
【０００９】
これらの第１，第２の発明では、寝具内に敷かれたマット状の生体情報検知部(10)に被験者が横たわると、例えば呼吸、心拍、及び体動などの生理情報を検出することができる。睡眠情報判定部(21)では、この生理情報に基づいて、入眠時間及び起床時間や、睡眠の合計時間などの睡眠情報が判定される。また、睡眠日誌生成部(22)では、上記睡眠情報が記録されて睡眠日誌が生成される。そして、表示部(23)において、上記睡眠日誌が表示される。
【００１０】
第３の発明は、第２の発明の睡眠日誌作成装置において、睡眠日誌生成部(22)が複数日分の睡眠履歴を記憶するように構成され、表示部(23)が、上記複数日分の睡眠履歴を睡眠日誌として表示するように構成されていることを特徴としている。
【００１１】
この第３の発明では、複数日分の睡眠履歴が表示部(23)でまとめて表示される。こうすることにより、被験者の睡眠習慣を容易に把握することができる。
【００１２】
第４の発明は、第３の発明の睡眠日誌作成装置において、表示部(23)が、複数日分の睡眠履歴と一日分の睡眠履歴とを切り換えて表示するように構成されていることを特徴としている。なお、一日分の睡眠履歴として表示する内容は、一日の総睡眠時間としたり、一日の心拍変動などの生理情報の履歴としたり、この生理情報を分析して得られる一日の睡眠の質としたりすることができる。
【００１３】
このようにすると、被験者の睡眠習慣を把握できるのに加えて、睡眠に関する一日ごとの細かい情報を得ることも可能となる。
【発明の効果】
【００１４】
上記第１，第２の発明によれば、寝具内にマット状の生体情報検知部(10)を敷き、その上に被験者が横たわるだけで、睡眠日誌を自動的に作成して表示することができる。このように本発明では被験者の身体を拘束せずに睡眠日誌を作成できるため、被験者が快適に睡眠することができる。
【００１５】
特に、上記第２の発明によれば、呼吸、心拍、及び体動などの生理情報を生体情報検知部(10)で検出することにより、これらの生理情報の変化から入眠時間や起床時間などの睡眠情報を確実に判定することができ、正確な睡眠日誌を作成することが可能となる。また、呼吸はいびきの有無や睡眠時無呼吸症候群の検出に、心拍はストレス度合いあるいはリラックス度合いの検出に、そして体動は睡眠・覚醒やレム（ＲＥＭ）睡眠・ノンレム（ＮＲＥＭ）睡眠の検出に用いることができるので、従来の睡眠日誌では記録できなかった情報も記録可能となる。
【００１６】
上記第３の発明によれば、睡眠日誌生成部(22)で記憶した複数日分の睡眠履歴を、表示部(23)で睡眠日誌として表示するようにしているので、被験者の睡眠習慣を容易に把握することが可能となる。
【００１７】
また、上記第４の発明によれば、表示部(23)で複数日分の睡眠履歴と一日分の睡眠履歴とを切り換えて表示するようにしているので、被験者の睡眠習慣を把握できるのに加えて、睡眠に関する一日ごとの細かい情報を得ることも可能となる。
【発明を実施するための最良の形態】
【００１８】
以下、本発明の実施形態を図面に基づいて詳細に説明する。
【００１９】
《発明の実施形態１》
図１は、この実施形態１に係る睡眠日誌作成装置(1)の概略構成図である。この睡眠日誌作成装置(1)は、生体情報検知装置（生体情報検知部）(10)と、コントローラ（制御装置）(20)とを備えている。生体情報検知装置(10)は、人（生体）の生理情報を検知する手段であって、睡眠中の呼吸、心拍、及び体動などの生理情報の少なくとも一つを検出することができる。
【００２０】
上記生体情報検知装置(10)は、人が就寝するときに、敷き布団やマットレス(2)を覆うシーツ（図示せず）の真下に敷いて使用するように、言い換えると敷き布団やマットレス(2)の真上に敷いて使用するように、薄いマット状に構成されている。具体的には、この生体情報検知装置(10)は、複数の空気通路(12)を配列することにより構成された感圧部(11)と、該感圧部(11)の空気通路(12)に接続された集合管部(13)と、該集合管部(13)に接続された圧力検出部(14)とを備え、感圧部(11)がシーツの真下に敷かれるようになっている。圧力検出部(14)は、上記集合管部(13)を介して空気通路(12)内の圧力変化を検出するように構成されている。
【００２１】
上記生体情報検知装置(10)の平面図である図２に示すように、感圧部(11)の複数の空気通路(12)は、互いに平行に配列された複数のチューブ（弾性部材）(T)により構成されている。このチューブ(T)には、例えばシリコンやポリエチレンなどの柔軟な材料で形成されたものが用いられている。また、これらのチューブ(T)には、直径が１mmから３mm程度のものが選定されている。一例として、外径が３mm、内径が１．５mm、肉厚が０．７５mmのシリコンチューブ(T)をＵ字管状に折り曲げたものをチューブ間隔１０mmで集合管部(13)に接続することができる。また、チューブ(T)同士のおおよその位置関係を保持しておくために、縦糸(15)で各チューブ(T)を編み込んでいる。
【００２２】
上記集合管部(13)には各チューブ(T)用の継手部（図示せず）が形成されており、チューブ(T)は集合管部(13)に圧入により接続されている。チューブ(T)の長さはＵ字管状に折り曲げた状態で約１ｍ（図の左右の幅寸法が１ｍ）、集合管部(13)の長さは約５０ｃｍであり、人が寝具上に横たわったとき、概略胸部位置を検知領域としてカバーできるものとなっている。
【００２３】
集合管部(13)の先端（図の上端）は封止されており、基端（図の下端）側には音響マイク（圧力検出部）(14)が設置されている。なお、圧力検出部(14)としては、音響マイクの代わりに圧力センサを用いてもよい。
【００２４】
この構成では、感圧部(11)を比較的短い複数のチューブ(T)から構成し、その上で人が就寝するようにしているので、人の呼吸、心拍、体動などに伴うチューブ(T)内の圧力変化が圧力検出部(14)に伝達される。また、柔軟で細い複数のチューブ(T)を比較的狭いピッチで配列して感圧部(11)を構成しているため、その上で人が横たわったときの異物感が生じにくい構成になっている。
【００２５】
さらに、可撓性のある複数のチューブ(T)を配列して感圧部(11)を構成したことによって、上に横たわった人の体重荷重が各チューブ(T)に分散してかかるようにしているため、チューブ(T)内の空気通路(12)を加圧しなくても、使用中にチューブ(T)が潰れてしまうことはない。なお、チューブ(T)の潰れにくさは、チューブ(T)の径及び厚みと配列のピッチによって調整することができるが、実験によれば、使用中に異物感を感じない程度の柔軟で細いチューブ(T)を加圧せずに使った場合でも、体重では潰れないことが確認できている。
【００２６】
上記音響マイク(14)には、ワイヤーハーネス(16)を介して上記コントローラ(20)が接続されている。このコントローラ(20)は、睡眠日誌作成装置(1)のブロック図である図３に示すように、生体情報検知装置(10)で検知した生理情報に基づいて睡眠情報を判定する睡眠情報判定部(21)と、判定した睡眠情報から睡眠日誌を作成する睡眠日誌生成部(22)と、作成した睡眠日誌を表示する表示部(23)とを備えている。
【００２７】
睡眠日誌生成部(22)は、複数日分の睡眠履歴を記憶するように構成されている。また、表示部(23)は、上記複数日分の睡眠履歴を睡眠日誌として表示することが可能であり、この複数日分の睡眠履歴と一日分の睡眠履歴とを切り換えて表示することも可能である。
【００２８】
コントローラ(20)は、図４及び図５に示すように、上記表示部(23)が設けられたケーシング(24)を備え、このケーシング(24)内に上記睡眠情報判定部(21)と睡眠日誌生成部(22)とが内蔵されている。また、ケーシング(24)の表面には操作部(25)が設けられている。この操作部(25)としては、測定と停止の切り換えを行うための測定／停止ボタン(25a)、数日分の睡眠履歴を表示する「日誌表示」を行うための日誌ボタン(25b)、一日分の睡眠履歴を表示する「メモリ表示」を行うためのメモリボタン(25c)、コントローラ(20)の各種設定を行うための設定ボタン(25d)、日誌表示及びメモリ表示のそれぞれで画面表示を切り換えるための切り換えボタン(25e)が設けられている。
【００２９】
なお、図４は、表示部(23)で「日誌表示」を行っている状態を示している。図の例では、５日間の睡眠履歴が睡眠日誌として表示されており、入眠時間、起床時間、中途覚醒時間、睡眠の度合い（おおよその睡眠深度）などが分かるようになっている。また、図５は、表示部(23)で「メモリ表示」を行っている状態を示している。図の例では、一日分の心拍変動の履歴が表示されているが、このような生理情報の履歴に変えて、生理情報を分析して得られる一日の睡眠の質を表示したり、一日の総睡眠時間を表示したりするようにしてもよい。
【００３０】
−運転動作−
次に、この睡眠日誌作成装置(1)の動作について説明する。
【００３１】
上記生体情報検知装置(10)は、上述したようにシーツの真下に敷かれており、その上で就寝している人の呼吸、心拍、体動などにより、チューブ(T)内の圧力が変化する。チューブ(T)内の圧力が変化すると、その圧力変化が音響マイクで拾われてコントローラ(20)に伝達される。コントローラ(20)では、上記睡眠情報判定部(21)において、上記圧力変化に基づいて睡眠情報が判定される。そして、この睡眠情報により、人が入眠したか、中途覚醒したか、起床したかなど、睡眠に関する各種の情報が得られ、睡眠日誌生成部(22)において複数日分の睡眠履歴を記憶することで睡眠日誌が作成される。このようにして作成された睡眠日誌は、表示部(23)において図４や図５に示すようにして表示される。
【００３２】
−実施形態１の効果−
この実施形態１によれば、寝具内にマット状の生体情報検知装置(10)を敷き、その上に被験者が横たわるだけで、睡眠日誌を自動的に作成して表示することができる。このように本実施形態では被験者の身体を拘束せずに睡眠日誌を作成できるため、被験者が快適に睡眠することができる。
【００３３】
特に、呼吸、心拍、及び体動などの生理情報を生体情報検知装置(10)で検出することにより、これらの生理情報の変化から入眠時間や起床時間などの睡眠情報を確実に判定することができ、正確で詳細な睡眠日誌を作成することが可能となる。また、呼吸はいびきの有無や睡眠時無呼吸症候群の検出に、心拍はストレス度合いあるいはリラックス度合いの検出に、そして体動は睡眠・覚醒やレム（ＲＥＭ）睡眠・ノンレム（ＮＲＥＭ）睡眠の検出に用いることができるので、従来の睡眠日誌では記録できなかった細かい情報の記録が可能となる。
【００３４】
また、睡眠日誌生成部(22)で記憶した複数日分の睡眠履歴を、表示部(23)で睡眠日誌として表示するようにしているので、被験者の睡眠習慣を容易に把握することが可能であり、表示部(23)で複数日分の睡眠履歴と一日分の睡眠履歴とを切り換えて表示するようにしているので、睡眠に関する一日ごとの細かい情報を得ることも可能となる。
【００３５】
さらに、マット状の生体情報検知装置(10)に、空気通路(12)を配列することにより構成された感圧部(11)を設け、この空気通路(12)内の圧力変化を圧力検出部(14)で検出するようにしているため、該感圧部(11)の上に横たわった被験者の心拍、呼吸、及び体動などの変化に基づく空気通路(12)内の圧力変化を確実に検出し、睡眠情報を正確に判定することができる。したがって、より正確な睡眠日誌を作成することが可能となる。
【００３６】
また、シリコンやポリエチレンなどの柔軟で細い複数のチューブ(T)をＵ字管状に折り曲げ、相互に平行になるように配列して感圧部(11)を構成しているので、薄く、しかも可撓性が高くて柔軟で、シーツ直下に敷いても寝具として異物感を与えない生体情報検知装置(10)を構成できる。また、チューブ(T)の配置ピッチを適宜設定することにより、シーツの真下に敷いても通気性を損なわないような開口率にすることも容易である。
【００３７】
さらに、空気通路(12)を構成するチューブ(T)は、材質や径・肉厚を適宜選択することで、使用中に体重荷重で完全に潰れてしまわないものとすることが可能であり、細かいピッチでチューブ(T)を配置すれば荷重が分散されることも相まって、柔軟で異物感の少ない構成でありながら、高い検出能力を実現できる。
【００３８】
また、細いチューブ(T)の端部を、よりコンダクタンスの高い集合管部(13)に接続し、その集合管部(13)を介して圧力センサまたは音響マイクなどの圧力検出部(14)に接続しているので、必要な圧力伝達面積を確保しつつ、信号損失が少ない状態で圧力変化を検出できる。このため、寝返りなどの大きな体動だけでなく、僅かな動きや、呼吸、心拍、いびきなどの微振動も確実に検出することができる。
【００３９】
また、通常の使用ではチューブ(T)が潰れてしまうことはなくても、堅く重いものの角などが当たって１箇所への荷重集中で潰れが生じることはあり得るが、複数のチューブ(T)を並列に配置しているため、数カ所でそのような潰れが生じても隣接しているチューブ(T)からの圧力・振動伝達により測定に致命的な影響を与えることを回避できる。したがって、このような場合でも、検出精度が悪くなるのを防止できる。
【００４０】
−実施形態１の変形例−
上記実施形態１では、音響マイク（圧力検出部）(14)を生体情報検知装置(10)と一体に設けているが、この圧力検出部(14)はコントローラ(20)に内蔵してもよい。このようにしても、上記実施形態１と同様の効果を奏することができる。
【００４１】
《発明の実施形態２》
実施形態２は、生体情報検知装置(10)の感圧部(11)と集合管部(13)との接合構造に関する具体例である。
【００４２】
図６は生体情報検知装置(10)の平面図、図７は感圧部(11)と集合管部(13)との接合構造を示す斜視図である。この実施形態２では、感圧部(11)の空気通路(12)には、外径が１．０mmで内径が０．５mmのポリエチレン製チューブ(T)を使用している。また、集合管部(13)として、ポリエチレンラミネートフィルム（シート材）(17)をヒートシールで筒状に成形したものを用いている。
【００４３】
集合管部(13)は潰れてはいけないため、図７に示すように、内部に空間確保用の構造材(18)（例えばコの字型、Ｃ型の押出材など）を組み込んでいる。集合管部(13)は寝具外に出せるため、薄さや柔軟性は必須のものではない。
【００４４】
この構成においては、チューブ(T)と集合管部(13)との接続にもシート材(17)のヒートシールを利用でき、集合管部(13)の形成とチューブ(T)の接続を同時に行うことができる。つまり、シート材(17)を感圧部(11)のチューブ(T)と集合管部(13)とを接合する接合部材として用いることができる。このような製造方法を採用すると、完全な気密性を確保するには若干困難を伴うが、封止部分の幅を大きめにとることで気密性を改善可能であることや、必ずしも完全な気密性は必要でないことから、検知機能には問題ない程度にすることは容易である。
【００４５】
《その他の実施形態》
本発明は、上記実施形態について、以下のような構成としてもよい。
【００４６】
例えば、上記実施形態ではチューブ(T)をＵ字管状にして集合管部(13)を１本にしているが、真っ直ぐなチューブ(T)の両端に２本の集合管部(13)を設けてもよい。
【００４７】
また、集合管部(13)を１本にし、複数の真っ直ぐなチューブ(T)を接続するようにしてもよい。その場合、集合管部(13)と反対側のチューブ(T)の末端は閉じていることが信号低下を防ぐ点からは望ましいが、開放端としてでも使用することができる。このため、完全な気密封止は必要なく、品質や製造上の問題を緩和することができる。
【００４８】
また、生体情報検知装置(10)の感圧部(11)は、図８に概略構造を示すように、例えばＵ字管状に折り曲げたチューブ(T)を格子状に配置し、その各チューブ(T)の開口端を、Ｌ型にした集合管部(13)に接続するようにしてもよい。
【００４９】
また、生体情報検知装置(10)の感圧部(11)は、複数のチューブ(T)を用いて構成するほかにも、平面図である図９（Ａ）とそのＢ−Ｂ線断面図である図９（Ｂ）に示すように、重ね合わせて接合された２枚のシート(19)の間に複数の空気通路(12)が形成されたものであってもよい。つまり、いわゆるエアーマットの構成を利用して感圧部(11)を構成するようにしてもよい。
【産業上の利用可能性】
【００５０】
以上説明したように、本発明は、睡眠日誌を自動的に作成するための睡眠日誌作成装置について有用である。
【図面の簡単な説明】
【００５１】
【図１】本発明の実施形態１に係る睡眠日誌作成装置の概略構成図である。
【図２】生体情報検知装置の平面図である。
【図３】睡眠日誌作成装置のブロック図である。
【図４】表示部で「日誌表示」を行っている状態でのコントローラの正面図である。
【図５】表示部で「メモリ表示」を行っている状態でのコントローラの正面図である。
【図６】実施形態２の生体情報検知装置の平面図である。
【図７】感圧部と集合管部との接合構造を示す斜視図である。
【図８】他の実施形態に係る生体情報検知装置の平面図である。
【図９】図９（Ａ）はさらに他の実施形態に係る生体情報検知装置の平面図、図９（Ｂ）は図９（Ａ）のＢ−Ｂ線断面図である。
【符号の説明】
【００５２】
(1)   睡眠日誌作成装置
(10)  生体情報検知装置（生体情報検知部）
(11)  感圧部
(12)  空気通路
(13)  集合管部
(14)  圧力検出部
(20)  コントローラ
(21)  睡眠情報判定部
(22)  睡眠日誌生成部
(23)  表示部
(24)  ケーシング
(25)  操作部
【図１】
2006014813.tif 000003
【図２】
2006014813.tif 000004
【図３】
2006014813.tif 000005
【図４】
2006014813.tif 000006
【図５】
2006014813.tif 000007
【図６】
2006014813.tif 000008
【図７】
2006014813.tif 000009
【図８】
2006014813.tif 000010
【図９】
2006014813.tif 000011